(57)【要約】【課題】映像出力増幅器における人手による調整を不要とすると共に、経年変化にも対応することができるようにした映像信号出力レベル調整回路を提供する。【解決手段】映像信号の所定レベルに対応する基準レベルを発生する基準レベル発生手段２０２，２０３を設ける。所定のタイミング時点で、映像信号に代えて基準レベルを、増幅器１１に供給する状態に切り替える。算出手段２０８で、このときの増幅器１１の出力信号と、基準レベルと、増幅器１１のゲイン値とから、増幅器１１の出力映像信号の出力レベルを規定値とするために必要なゲインと、増幅器１１のゲインとの誤差を調整するための補正ゲイン量を算出する。算出された補正ゲイン量を記憶部２０６に調整用信号として記憶する。記憶した調整用信号により調整した映像信号を、増幅器１１に供給するようにする。【選択図】図２
2010034727.tif 000002
【特許請求の範囲】
【請求項１】
映像信号を増幅する増幅器と、
前記映像信号の所定レベルに対応する基準レベルを発生する基準レベル発生手段と、
前記映像信号と、前記基準レベル発生部からの前記基準レベルとのいずれかを選択する選択手段と、
前記選択手段と前記増幅器との間に設けられ、調整用信号に基づいて、前記選択手段の出力信号のレベルを調整する調整手段と、
前記調整用信号を記憶し、当該調整用信号を前記調整手段に供給する記憶部と、
前記増幅器の出力信号と、前記基準レベルと、前記増幅器のゲイン値とから、前記増幅器の出力映像信号の出力レベルを規定値とするために必要なゲインと、前記増幅器のゲインとの誤差を補正するための補正ゲイン量を算出する算出手段と、
所定のタイミング時点で、前記選択手段を、前記映像信号に代えて前記基準レベルを選択する状態に切り替えると共に、前記算出手段で前記補正ゲイン量を算出させ、算出された補正ゲイン量を前記記憶部に前記調整用信号として記憶させ、前記調整用信号の記憶終了後、前記選択手段を、前記映像信号を選択する状態に切り替えるように制御する制御手段と、
を備える映像信号出力レベル調整回路。
【請求項２】
請求項１に記載の映像信号出力レベル調整回路において、
前記基準レベル発生手段として、前記映像信号の第１の所定レベルに対応する第１の基準レベルを発生する第１の基準レベル発生手段と、前記映像信号の第２の所定レベルに対応する第２の基準レベルを発生する第２の基準レベル発生手段とを備え、
前記算出手段は、前記増幅器の出力信号と、前記第１の基準レベルと、前記第２の基準レベルと、前記増幅器のゲイン値とから、前記補正ゲイン量と、前記映像信号の直流オフセットとを算出するものであり、
前記調整手段は、前記映像信号に前記補正ゲイン量を乗算する乗算手段と、前記映像信号から前記直流オフセットを除去するオフセット除去手段とを含み、
前記制御手段は、所定のタイミング時点で、前記選択手段を、前記映像信号に代えて前記基準レベルを選択する状態に切り替えると共に、前記算出手段で前記補正ゲイン量および前記直流オフセットを算出させ、算出された補正ゲイン量および直流オフセットを前記記憶部に前記調整用信号として記憶させ、前記調整用信号の記憶終了後、前記選択手段を、前記映像信号を選択する状態に切り替えるように制御する
映像信号出力レベル調整回路。
【請求項３】
請求項２に記載の映像信号出力レベル調整回路において、
前記第１の基準レベルは、前記映像信号の最大輝度レベルであり、前記第２の基準レベルは、前記映像信号のシンクチップレベルである
映像信号出力レベル調整回路。
【請求項４】
選択された番組の映像中間周波信号を出力するフロントエンド部と、
前記フロントエンド部からの映像中間周波信号から映像信号を復調する映像復調部と、
前記映像復調部からの映像信号を増幅して、表示用映像信号として出力する増幅器と、
を備え、
前記映像復調部は、
前記フロントエンド部からの映像中間周波信号をデジタル信号に変換する第１のＡ／Ｄコンバータと、
前記第１のＡ／Ｄコンバータからの前記デジタル信号からデジタル映像信号を復調する復調処理部と、
前記映像信号の所定レベルに対応する基準レベルのデジタル値を発生する基準レベル発生手段と、
前記復調処理部からのデジタル映像信号と、前記基準レベル発生部からの前記基準レベルのデジタル値とのいずれかを選択する選択手段と、
調整用信号に基づいて、前記選択手段の出力信号を調整する調整手段と、
前記調整用信号を記憶し、当該調整用信号を前記調整手段に供給する記憶部と、
前記調整手段の出力信号をアナログ信号に変換し、変換したアナログ信号を前記増幅器に供給するようにするＤ／Ａコンバータと、
前記増幅器の出力信号をデジタル信号に変換する第２のＡ／Ｄコンバータと、
前記第２のＡ／Ｄコンバータからのデジタル信号と、前記基準レベルのデジタル値と、前記増幅器のゲイン値とから、前記増幅器の出力映像信号の出力レベルを規定値とするために必要なゲインと前記増幅器のゲインとの誤差を補正するための補正ゲイン量を算出する算出手段と、
所定のタイミング時点で、前記選択手段を、前記デジタル映像信号に代えて前記基準レベルのデジタル値を選択する状態に切り替えると共に、前記算出手段で前記補正ゲイン量を算出させ、算出された補正ゲイン量を前記記憶部に前記調整用信号として記憶させ、前記調整用信号の記憶終了後、前記選択手段を、前記デジタル映像信号を選択する状態に切り替えるように制御する制御手段と、
を備えるアナログテレビチューナ。
【請求項５】
請求項４に記載のアナログテレビチューナにおいて、
前記基準レベル発生手段として、前記映像信号の第１の所定レベルに対応する第１の基準レベルのデジタル値を発生する第１の基準レベル発生手段と、前記映像信号の第２の所定レベルに対応する第２の基準レベルのデジタル値を発生する第２の基準レベル発生手段とを備え、
前記算出手段は、前記第２のＡ／Ｄコンバータからのデジタル信号と、前記第１の基準レベルのデジタル値と、前記第２の基準レベルのデジタル値と、前記増幅器のゲイン値とから、前記補正ゲイン量と、前記映像信号の直流オフセットとを算出するものであり、
前記調整手段は、前記選択手段の出力信号に前記補正ゲイン量を乗算する乗算手段と、前記選択手段の出力信号から前記直流オフセットを除去するオフセット除去手段とを含み、
前記制御手段は、所定のタイミング時点で、前記選択手段を、前記デジタル映像信号に代えて前記第１および第２の基準レベルのデジタル値を選択する状態に切り替えると共に、前記算出手段で前記補正ゲイン量および前記直流オフセットを算出させ、算出された補正ゲイン量および直流オフセットを前記記憶部に前記調整用信号として記憶させ、前記調整用信号の記憶終了後、前記選択手段を、前記デジタル映像信号を選択する状態に切り替えるように制御する
アナログテレビチューナ。
【請求項６】
請求項５に記載のアナログテレビチューナにおいて、
前記第１の基準レベルは、前記映像信号の最大輝度レベルであり、前記第２の基準レベルは、前記映像信号のシンクチップレベルである
アナログテレビチューナ。
【請求項７】
請求項４に記載のアナログテレビチューナにおいて、
前記映像復調部は、ＩＣ化されている
アナログテレビチューナ。
【請求項８】
映像信号を増幅する増幅器と、
前記映像信号の所定レベルに対応する基準レベルを発生する基準レベル発生手段と、
前記映像信号と、前記基準レベル発生部からの前記基準レベルとのいずれかを選択する選択手段と、
前記選択手段と前記増幅器との間に設けられ、調整用信号に基づいて、前記選択手段の出力信号のレベルを調整する調整手段と、
前記調整用信号を記憶し、当該調整用信号を前記調整手段に供給する記憶部と、
前記増幅器の出力信号と、前記基準レベルと、前記増幅器のゲイン値とから、前記増幅器の出力映像信号の出力レベルを規定値とするために必要なゲインと、前記増幅器のゲインとの誤差を補正するための補正ゲイン量を算出する算出手段と、
制御手段と
を備える映像信号出力レベル調整回路における映像信号出力レベル調整方法であって、
前記制御手段は、
映像信号の出力レベルを調整するタイミングであるか否かを判断する判断工程と、
前記判断工程で、前記映像信号の出力レベルを調整するタイミングであると判別したときに、前記選択手段を、前記映像信号に代えて前記基準レベルを選択する状態に切り替える第１の切り替え工程と、
前記第１の切り替え工程での切り替え状態において、前記算出手段に前記補正ゲイン量を算出させる算出工程と、
前記第１の切り替え工程での切り替え状態において、前記算出工程で算出された前記補正ゲイン量を前記記憶部に前記調整用信号として記憶させる記憶工程と、
前記記憶工程での前記調整用信号に記憶終了後、前記選択手段を、前記映像信号を選択する状態に切り替える第２の切り替え工程と、
を有する映像信号出力レベル調整方法。
【請求項９】
選択された番組の映像中間周波信号を出力するフロントエンド部と、
前記フロントエンド部からの映像中間周波信号から映像信号を復調する映像復調部と、
前記映像復調部からの映像信号を増幅して、表示用映像信号として出力する増幅器と、
を備えると共に、
前記映像復調部は、
前記フロントエンド部からの映像中間周波信号をデジタル信号に変換する第１のＡ／Ｄコンバータと、
前記第１のＡ／Ｄコンバータからの前記デジタル信号からデジタル映像信号を復調する復調処理部と、
前記映像信号の所定レベルに対応する基準レベルのデジタル値を発生する基準レベル発生手段と、
前記復調処理部からのデジタル映像信号と、前記基準レベル発生部からの前記基準レベルのデジタル値とのいずれかを選択する選択手段と、
調整用信号に基づいて、前記選択手段の出力信号を調整する調整手段と、
前記調整用信号を記憶し、当該調整用信号を前記調整手段に供給する記憶部と、
前記調整手段の出力信号をアナログ信号に変換し、変換したアナログ信号を前記増幅器に供給するようにするＤ／Ａコンバータと、
前記増幅器の出力信号をデジタル信号に変換する第２のＡ／Ｄコンバータと、
前記第２のＡ／Ｄコンバータからのデジタル信号と、前記基準レベルのデジタル値と、前記増幅器のゲイン値とから、前記増幅器の出力映像信号の出力レベルを規定値とするために必要なゲインと前記増幅器のゲインとの誤差を補正するための補正ゲイン量を算出する算出手段と、
制御手段と、
を備えるアナログテレビチューナにおける映像信号出力レベル調整方法であって、
前記制御手段は、
映像信号の出力レベルを調整するタイミングであるか否かを判断する判断工程と、
前記判断工程で、前記映像信号の出力レベルを調整するタイミングであると判別したときに、前記選択手段を、前記デジタル映像信号に代えて前記基準レベルのデジタル値を選択する状態に切り替える第１の切り替え工程と、
前記第１の切り替え工程での切り替え状態において、前記算出手段に前記補正ゲイン量を算出させる算出工程と、
前記第１の切り替え工程での切り替え状態において、前記算出工程で算出された前記補正ゲイン量を前記記憶部に前記調整用信号として記憶させる記憶工程と、
前記記憶工程での前記調整用信号に記憶終了後、前記選択手段を、前記デジタル映像信号を選択する状態に切り替える第２の切り替え工程と、
を有する映像信号出力レベル調整方法。
【請求項１０】
請求項８または請求項９に記載の映像信号出力レベル調整方法において、
前記基準レベル発生手段として、前記映像信号の第１の所定レベルに対応する第１の基準レベルを発生する第１の基準レベル発生手段と、前記映像信号の第２の所定レベルに対応する第２の基準レベルを発生する第２の基準レベル発生手段とを備え、
前記算出手段は、前記増幅器の出力信号と、前記第１の基準レベルと、前記第２の基準レベルと、前記増幅器のゲイン値とから、前記補正ゲイン量と、前記映像信号の直流オフセットとを算出するものであり、
前記調整手段は、前記映像信号に前記補正ゲイン量を乗算する乗算手段と、前記映像信号から前記直流オフセットを除去するオフセット除去手段とを含み、
前記制御手段は、
前記算出工程で、
前記算出手段で前記補正ゲイン量および前記直流オフセットを算出させ、
前記記憶工程で、前記算出工程で算出された補正ゲイン量および直流オフセットを前記記憶部に前記調整用信号として記憶させる
映像信号出力レベル調整方法。
【発明の詳細な説明】
【技術分野】
【０００１】
この発明は、アナログテレビチューナ、映像信号出力レベル調整回路および映像信号出力レベル調整方法に関し、特に、映像信号の出力レベルを規定値に調整する発明に関する。
【背景技術】
【０００２】
アナログテレビ信号の映像信号は、信号振幅が映像輝度情報を現すため、各箇所で正確に映像信号レベルを調整することが重要である。特に、アナログテレビチューナの出力信号である映像出力アンプからの映像信号の出力レベルが、規定値から大きくずれてしまっていると、同じテレビ信号を受信したにもかかわらず、個々のテレビセットで、映像の明るさが異なってしまうことになる。そのため、映像出力アンプからの映像信号の出力レベルは、正確に調整する必要がある。
【０００３】
そこで、従来は、アナログテレビチューナの映像出力アンプを、切り替え可能な固定抵抗や可変抵抗を用いた可変ゲインアンプで構成し、ゲイン調整することにより、映像出力アンプからの映像信号の出力レベルを調整するようにしていた。
【０００４】
図６に、従来のアナログテレビ受信装置の構成例を示す。
【０００５】
受信アンテナ１で受信したテレビ放送波信号は、テレビチューナ部２に供給される。このテレビチューナ部２では、アンテナ１からのテレビ放送波信号は、フロントエンド部３に供給される。このフロントエンド部３では、図示を省略したテレビマイコンからのユーザのチャンネル選局操作により選択されたチャンネルの番組の放送波信号が、映像中間周波信号Ｓｉｆに変換されて出力される。
【０００６】
この映像中間周波信号Ｓｉｆは、映像復調部４に供給されて映像信号が復調される。この映像復調部４からの復調された映像信号Ｖｏは、映像出力増幅器５により増幅されて、テレビチューナ２の出力信号とされる。
【０００７】
映像出力増幅器５は、この例では、可変抵抗５Ｒが調整されることによりゲインが可変の可変ゲイン増幅器の構成とされている。映像出力増幅器５では、当該増幅器５自身における内部抵抗などのばらつきによるゲインのばらつきを吸収するために、可変抵抗５Ｒを用いてチューナ部２ごとに、個別に調整を行っている。この可変ゲイン増幅器からなる映像出力増幅器５におけるゲイン調整により、出力映像信号Ｖｏは、所定の出力レベルに調整される。
【０００８】
そして、テレビチューナ部２からの出力映像信号Ｖｏは、映像出力プロセッサ６に供給される。映像出力プロセッサ６は、色信号分離、４：３や１６：９などのアスペクト比に応じた表示スケール調整などの処理をすると共に、当該処理後の映像信号により表示装置としてのＬＣＤパネル７をドライブする機能を備える。
【０００９】
映像出力増幅器５は、これに入力される復調された映像信号の出力レベルを、その後段の映像出力プロセッサ６が必要とする入力レベルに合わせるように調整するために、可変ゲイン増幅器の構成とされる。そして、従来は、可変抵抗５Ｒを調整して、映像出力増幅器５のゲインが適切なものとなるように、調整している。
【００１０】
例えば、図７に示すように、アナログ映像信号の最大振幅、すなわち、アナログ映像信号の最低レベルであるシンクチップレベル（−４０ＩＲＥレベル）から、最大輝度レベル（１００ＩＲＥレベル）までが、規定値、例えば１Ｖｐｐとなるように調整する。
【００１１】
なお、可変抵抗５Ｒに代えて、固定抵抗を切り替え接続するようにして、映像出力増幅器５のゲイン調整を行なってもよい。
【００１２】
このとき、出力映像信号Ｖｏの最大振幅レベルが、規定値である１Ｖｐｐからずれてしまったとすると、同じ映像信号を受信したにもかかわらず、個々のテレビセットで表示画像の明るさが異なってしまうことになる。
【００１３】
参考となる特許文献は、次の通りである。
【特許文献１】特開２００７−０７４２０３号公報
【発明の開示】
【発明が解決しようとする課題】
【００１４】
以上説明したように、映像復調部４からの復調映像信号や映像出力増幅器５の出力映像信号Ｖｏは、映像復調部４や映像出力増幅器５での処理がアナログ処理のあり、デバイス個々のばらつきもあり、調整すべきゲインを固定抵抗で一意に決定することが出来ない。
【００１５】
このため、従来は、上述のように、可変抵抗５Ｒなどを用いて、チューナ製造時に、個々のチューナ毎に人手を掛けて調整し、チューナ部２からの出力映像信号の出力レベルが所定のレベルになるようにしていた。
【００１６】
しかしながら、この調整は、大変な手間がかかると共に、高コストの原因となっており、従来から大きな問題とされていた。
【００１７】
また、さらに、可変抵抗５Ｒなどでレベルを調整するものであるために、経年変化などにより調整値がずれてしまうことがあり、これが映像輝度の変化につながるという問題もあった。
【００１８】
この発明は、以上の点にかんがみ、映像出力増幅器における人手による調整を不要とすると共に、経年変化にも対応することができるようにした映像信号出力レベル調整回路を提供することを目的とするものである。
【課題を解決するための手段】
【００１９】
上記の課題を解決するために、この発明は、
映像信号を増幅する増幅器と、
前記映像信号の所定レベルに対応する基準レベルを発生する基準レベル発生手段と、
前記映像信号と、前記基準レベル発生部からの前記基準レベルとのいずれかを選択する選択手段と、
前記選択手段と前記増幅器との間に設けられ、調整用信号に基づいて、前記選択手段の出力信号のレベルを調整する調整手段と、
前記調整用信号を記憶し、当該調整用信号を前記調整手段に供給する記憶部と、
前記増幅器の出力信号と、前記基準レベルと、前記増幅器のゲイン値とから、前記増幅器の出力映像信号の出力レベルを規定値とするために必要な増幅器のゲインと、前記増幅器のゲインとの誤差を調整するための補正ゲイン量を算出する算出手段と、
所定のタイミング時点で、前記選択手段を、前記映像信号に代えて前記基準レベルを選択する状態に切り替えると共に、前記算出手段で前記補正ゲイン量を算出させ、算出された補正ゲイン量を前記記憶部に前記調整用信号として記憶させ、前記調整用信号の記憶終了後、前記選択手段を、前記映像信号を選択する状態に切り替えるように制御する制御手段と、
を備える映像信号出力レベル調整回路を提供する。
【００２０】
上述の構成のこの発明による映像信号出力レベル調整回路においては、映像信号の出力レベルを調整するタイミング時点になると、制御手段により、映像信号に代えて基準レベルが調整手段を通じて増幅器に供給されるように選択手段が切り替え制御される。
【００２１】
そして、算出手段では、そのときの増幅器の出力信号と、基準レベルと、増幅器のゲイン値とから、出力映像信号の出力レベルを規定値とするために必要な増幅器のゲインと実際の増幅器のゲインとの誤差を補正するための補正ゲイン量が算出される。
【００２２】
そして、算出手段で算出された補正ゲイン量が、記憶部に記憶される。その後、制御手段により、映像信号が調整手段に供給されるように選択手段が切り替え制御される。すると、調整手段には、記憶部からの補正ゲイン量が供給されて、前記ゲイン誤差が補正されて、出力映像信号の出力レベルは、適切なものとなるように調整される。
【発明の効果】
【００２３】
この発明によれば、増幅器における人手による調整を不要とすると共に、経年変化にも対応することができるようにした映像信号出力レベル調整回路を提供することができる。
【発明を実施するための最良の形態】
【００２４】
以下、この発明による映像信号出力レベル調整回路を実施形態およびアナログテレビチューナの実施形態を、図を参照しながら説明する。
【００２５】
図１は、この発明による映像信号出力レベル調整回路の実施形態を含むアナログテレビチューナの実施形態を搭載するアナログテレビ受信装置の構成例を示すブロック図である。図１において、前述した図６のアナログテレビ受信装置と同一部分には、同一番号を付してある。
【００２６】
この実施形態では、図１に示すように、テレビチューナ部２の映像復調部１０は、デジタル信号処理の構成とされている。この例では、映像復調部１０は、ＩＣ化回路の構成とされている。また、映像出力増幅器１１は、可変ゲイン増幅器ではなく、固定ゲインの増幅器で構成されている。
【００２７】
そして、後述するように、この実施形態では、映像復調部１０の内部に基準レベル発生部を備え、映像出力増幅器１１からの出力信号を、映像復調部１０にフィードバックすることで、映像信号の出力レベルを自動調整するものである。すなわち、この実施形態のテレビチューナ部２は、映像出力増幅器１１のゲインについての、いわゆるキャリブレーション機能を備える。アナログテレビ受信装置のその他の構成は、図６の例と同様である。
【００２８】
なお、この例の映像出力増幅器１１の場合、外付けの抵抗１１Ｒを変更することにより、必要とする固定ゲインを選択設定することができるものである。
【００２９】
図１において、テレビマイコン１２は、この実施形態のアナログテレビ受信装置の全体を制御するホストコンピュータを構成するもので、このテレビマイコン１２には、リモートコントロール（以下、リモコンと略称する）受信部１３が接続されている。リモコン受信部１３は、リモコン送信機１４からのリモコン信号を受信する。
【００３０】
リモコン送信機１４には、電源ボタン、受信チャンネル選択ボタンなどの操作ボタンを備え、ユーザのボタン操作に応じたリモコン信号をリモコン受信部１３に送信する。リモコン受信部１３は、受信したリモコン信号をテレビマイコン１２に渡す。
【００３１】
テレビマイコン１２は、受け取ったリモコン信号を解析して、リモコン送信機１４でユーザにより操作されたボタンが何であるかを判別し、操作されたボタンに応じた制御処理を実行する。例えば、リモコン送信機１４で、電源ボタンが操作されたときには、テレビマイコン１２は、この実施形態のアナログテレビ受信装置の電源のオン・オフを制御する。また、例えば、リモコン送信機１４で、受信チャンネル選択ボタンが操作されたときには、選択された受信チャンネルを選局するための選局制御信号をフロントエンド部３に供給して、選局制御を実行する。
【００３２】
映像復調部１０は、上述したキャリブレーション機能を実現するために、デジタル信号処理構成とされると共に、次のように構成されている。
【００３３】
すなわち、図１に示すように、フロントエンド部３からのアナログ映像中間周波信号Ｓｉｆは、Ａ／Ｄコンバータ１０１に供給されて、デジタル映像中間周波信号に変換された後、映像復調処理部１０２に供給される。映像復調処理部１０２では、デジタル映像中間周波信号からデジタル映像信号を復調する。そして、映像復調処理部１０２は、復調したデジタル映像信号を映像信号出力レベル調整処理部１０３に供給する。
【００３４】
映像信号出力レベル調整処理部１０３の出力信号は、Ｄ／Ａコンバータ１０４によりアナログ信号に変換された後、映像復調部１０の出力信号として映像出力増幅器１１に供給される。
【００３５】
そして、映像出力増幅器１１の出力信号は、映像出力プロセッサ６に供給されると共に、映像復調部１０のＡ／Ｄコンバータ１０５に供給されて、デジタル信号とされた後、映像信号出力レベル調整処理部１０３にフィードバックされる。
【００３６】
制御部１０６は、マイクロプロセッサからなり、映像復調部１０におけるキャリブレーション機能を起動させるか否かなどを制御するもので、制御信号を映像信号出力レベル調整処理部１０３に供給する。
【００３７】
映像信号出力レベル調整処理部１０３は、固定ゲインの映像出力増幅器１１の出力映像信号の最大振幅が、前述したように、規定値、例えば１Ｖｐｐとなるようにする補正ゲイン量を、キャリブレーション機能により生成する。そして、映像信号出力レベル調整処理部１０３は、生成した補正ゲイン量により、映像出力増幅器１１に供給する映像信号を調整することで、映像出力増幅器１１の出力映像信号の最大振幅が、規定値になるようにする。
【００３８】
また、この実施形態では、映像信号出力レベル調整処理部１０３は、映像出力増幅器１１の出力映像信号の直流レベルが、規定レベルからずれている場合に、その直流（ＤＣ）オフセットを検出し、当該直流オフセットを除去するようにする機能も備えている。映像信号出力レベル調整処理部１０３の詳細構成例を図２に示す。
【００３９】
図２に示すように、映像復調処理部１０２からのデジタル映像信号は、映像信号出力レベル調整処理部１０３のセレクタ２０１に供給される。
【００４０】
映像信号出力レベル調整処理部１０３は、キャリブレーション用の基準レベルを発生する手段として、第１の基準レベル発生部２０２と、第２の基準レベル発生部２０３とを備える。２個の基準レベルを発生させるようにするのは、求めようとするものが、補正ゲイン量と、直流オフセットとの２つの未知数であるからである。補正ゲイン量のみを求めるのではあれば、基準レベル発生部は、１個でよい。
【００４１】
第１基準レベル発生部２０２は、この例では、図７に示すように、映像信号の最大輝度レベル（１００ＩＲＥレベル）に等しい第１基準レベルのデジタル信号（デジタル値）Ｘ１を発生する。第１基準レベル発生部２０２は、その第１基準レベルのデジタル信号Ｘ１をセレクタ２０１に供給する。
【００４２】
第２基準レベル発生部２０３は、この例では、図７に示すように、映像信号のシンクチップレベル（−４０ＩＲＥレベル）に等しい第２基準レベルのデジタル信号（デジタル値）Ｘ２を発生する。第２基準レベル発生部２０３は、その第２基準レベルのデジタル信号Ｘ２をセレクタ２０１に供給する。
【００４３】
この実施形態では、予め、キャリブレーションモードを開始するタイミングとして、アナログテレビ受信装置の電源がオンにされたとき、また、受信チャンネルが切り替えられたとき、が定められている。テレビマイコン１２は、リモコン受信部１３を通じて電源オン操作や受信チャンネルの切り替え操作を検知すると、キャリブレーションモード開始を制御部１０６に通知する。
【００４４】
制御部１０６は、このキャリブレーションモード開始指示を受けると、セレクタ２０１を、映像復調処理部１０２からの映像信号を選択する状態から、キャリブレーションモード時の選択状態に切り替え制御し、後述するようなキャリブレーションを実行する。
【００４５】
セレクタ２０１は、キャリブレーションモード時には、先ず、第１基準レベル発生部２０２からの第１基準レベルのデジタル信号Ｘ１を選択する状態に切り替えられる。次いで、セレクタ２０１は、第２基準レベル発生部２０３からの第２基準レベルのデジタル信号Ｘ２を選択する状態に切り替えられる。
【００４６】
そして、キャリブレーションモードが終了したときには、制御部１０６は、セレクタ２０１を、映像復調処理部１０２からの映像信号を選択する状態に戻すように切り替え制御する。すなわち、セレクタ２０１は、制御部１０６からの選択制御信号により、キャリブレーションモード時以外の通常モードでは、映像復調処理部１０２からの映像信号を選択するように制御される。
【００４７】
セレクタ２０２の出力信号は、直流オフセット除去用の減算部２０４に供給される。この減算部２０４には、後述のキャリブレーションにより算出された直流オフセットＯｆｓｔが、調整値記憶用メモリ２０６から供給されて、直流オフセットが除去される。
【００４８】
減算部２０４の出力信号は、乗算部２０５に供給される。この乗算部２０５には、後述のキャリブレーションにより算出された補正ゲイン量が、調整値記憶用メモリ２０６から供給されて、減算部２０４の出力信号に乗算され、減算部２０４の出力信号のゲインが調整される。
【００４９】
乗算部２０５の出力信号は、Ｄ／Ａコンバータ１０４に供給されてアナログ信号に変換され、映像出力増幅器１１に供給される。
【００５０】
Ａ／Ｄコンバータ１０５によりアナログ信号に変換された、映像出力増幅器１１の出力信号は、ローパスフィルタ２０７にて不要な帯域成分が除去された後、調整値算出部２０８に供給される。調整値算出部２０８では、ローパスフィルタ２０７からの信号のうち、キャリブレーションモード時に、第１基準レベルおよび第２基準レベルのデジタル値Ｘ１およびＸ２の映像出力増幅器１１の出力値（デジタル値）Ｙ１およびＹ２を取り込んで記憶する。
【００５１】
また、調整値算出部２０８には、第１基準レベル発生部２０２からの第１基準レベルのデジタル値Ｘ１および第２基準レベル発生部２０３からの第２基準レベルのデジタル値Ｘ２が供給される。
【００５２】
調整値算出部２０８は、キャリブレーションモード時において、第１基準レベルおよび第２基準レベルのデジタル値Ｘ１およびＸ２と、映像出力増幅器１１の出力値（デジタル値）Ｙ１およびＹ２を用いて、直流オフセットＯｆｓｔと補正ゲイン量を算出する。
【００５３】
後述するように、調整値算出部２０８では、この直流オフセットＯｆｓｔと補正ゲイン量の算出の際には、映像出力増幅器２０９のゲインＧが必要となる。このため、この実施形態では、映像信号出力レベル調整処理部１０３は、映像出力増幅器ゲイン記憶部２０９を備え、映像出力増幅器ゲイン記憶部２０９から映像出力増幅器２０９のゲインＧが調整値算出部２０８に供給される。
【００５４】
前述したように、映像出力増幅器１１は、固定の抵抗１１Ｒを変更することで、固定のゲインＧを変更することができものであるので、映像出力増幅器ゲイン記憶部２０９は、外部から書き換え可能とされ、映像出力増幅器１１の実際のゲインＧが記憶される。
【００５５】
調整値算出部２０８の構成例を図３に示す。図３に示すように、この実施形態の調整値算出部２０８は、演算処理部３０１と、Ｙ１記憶部３０２と、Ｙ２記憶部３０３とからなる。
【００５６】
Ｙ１記憶部３０２には、キャリブレーションモード時、セレクタ２０１から第１の基準レベルのデジタル値Ｘ１が出力されているときの映像出力増幅器１１の出力値（デジタル値）Ｙ１が、制御部１０６の制御にしたがって、記憶される。
【００５７】
Ｙ２記憶部３０３には、キャリブレーションモード時、セレクタ２０１から第２の基準レベルのデジタル値Ｘ２が出力されているときの映像出力増幅器１１の出力値（デジタル値）Ｙ２が、制御部１０６の制御にしたがって、記憶される。
【００５８】
演算処理部３０１には、第１および第２基準レベルのデジタル値Ｘ１およびＸ２と、映像出力増幅器ゲイン２０９からのゲインＧと、Ｙ１記憶部３０２およびＹ２記憶部３０３からのデジタル値Ｙ１およびデジタル値Ｙ２とが供給される。
【００５９】
演算処理部３０１は、キャリブレーションモード時、制御部１０６の制御の下で、これらの入力値から、後述するようにして、補正ゲイン量および直流オフセットを求める演算を実行する。
【００６０】
そして、キャリブレーションモード時、調整値算出部２０８で算出された補正ゲイン量および直流オフセットは、調整値記憶用メモリ２０６に、制御部１０６の制御にしたがって記憶される。
【００６１】
制御部１０６は、調整値記憶用メモリ２０６への補正ゲイン量および直流オフセットの記憶が終了すると、キャリブレーションモードから通常モードへ変更し、セレクタ２０１を、映像復調処理部１０２からの復調映像信号を選択する状態に切り替える。そして、制御部１０６は、通常モードでは、調整値算出部２０８の動作を休止させるようにする。すなわち、調整値算出部２０８は、キャリブレーションモード時のみ、動作するように制御部１０６により制御される。
【００６２】
［キャリブレーションモードでの動作］
補正ゲイン量および直流オフセットが一度も検出されていない初期状態では、調整値記憶用メモリ２０６からの直流オフセットＯｆｓｔは、０にセットされ、補正ゲイン量は、１にセットされる。
【００６３】
キャリブレーションモードになると、制御部１０６は、先ず、セレクタ２０１を、映像復調処理部１０２からの映像信号を選択する状態から、第１基準レベル発生部２０１からの第１基準レベルのデジタル値Ｘ１を選択する状態に切り替える。
【００６４】
そして、セレクタ２０１から第１基準レベルのデジタル値Ｘ１が出力される状態では、この第１基準レベルのデジタル値Ｘ１は、減算部２０４で直流オフセット除去され、乗算部２０５でゲイン補正される。そして、第１基準レベルのデジタル値Ｘ１は、Ｄ／Ａコンバータ１０４に供給される。
【００６５】
ただし、初期状態では、上述のように、直流オフセットＯｆｓｔが０であり、補正ゲイン量が１であるので、事実上、調整処理を受けずに、第１基準レベルのデジタル値Ｘ１は、Ｄ／Ａコンバータ１０４に供給される。Ｄ／Ａコンバータ１０４は、第１基準レベルのデジタル値Ｘ１をアナログ信号に変換して、映像出力増幅器１１に供給する。
【００６６】
映像出力増幅器１１は、ゲインＧで、Ｄ／Ａコンバータ１０４からのアナログ信号を増幅し、Ａ／Ｄコンバータ１０５に供給する。このとき、映像出力増幅器１１や抵抗１１Ｒのばらつきにより、映像出力増幅器１１の出力信号レベルは、所望のレベルに対して誤差を持つ。
【００６７】
このときの映像出力増幅器１１のゲイン誤差をｅとし、このゲイン誤差を含むゲインを、Ｇ´＝Ｇ＋ｅとする。また、映像出力増幅器１１の出力映像信号Ｖｏには、直流オフセットが生じる場合もあるが、この直流オフセットをＯｆｓｔとする。
【００６８】
Ａ／Ｄコンバータ１０５は、このときの映像出力増幅器１１の出力信号をデジタル信号に変換して、ローパスフィルタ２０７に供給する。ローパスフィルタ２０７は、映像出力増幅器１１の出力信号のデジタル信号を、ノイズ成分を取り除いた後、調整値算出部２０８のＹ１記憶部３０２に供給する。
【００６９】
したがって、Ｙ１記憶部３０２には、
Ｙ１＝Ｇ´×Ｘ１＋Ｏｆｓｔ＝（Ｇ＋ｅ）×Ｘ１＋Ｏｆｓｔ  ・・・（式１）
で表わされるデジタル信号Ｙ１が記憶される。
【００７０】
このデジタルＹ１のＹ１記憶部３０２への記憶が完了すると、制御部１０６は、セレクタ２０１を、第２基準レベル発生部２０３からの第２基準レベルのデジタル値Ｘ２を選択する状態に切り替える。
【００７１】
そして、上述した第１基準レベルについての場合と同様にして、第２基準レベルのデジタル値Ｘ２のアナログ変換信号が、映像出力増幅器１１で増幅される。そして、この映像出力増幅器１１の出力信号が、Ａ／Ｄコンバータ１０５およびローパスフィルタ２０７を通じてＹ２記憶部３０３に供給される。
【００７２】
このとき、映像出力増幅器１１や抵抗１１Ｒのばらつきにより、映像出力増幅器１１の出力信号レベルは、所望のレベルに対して誤差を持つ。この誤差は、第１基準レベルを用いたときと同一である。また、直流オフセットについても同一である。
【００７３】
したがって、Ｙ２記憶部３０３には、
Ｙ２＝Ｇ´×Ｘ２＋Ｏｆｓｔ＝（Ｇ＋ｅ）×Ｘ２＋Ｏｆｓｔ  ・・・（式２）
で表わされるデジタル信号Ｙ２が得られる。
【００７４】
こうして、Ｙ１記憶部３０２にデジタル値ｙ１が、また、Ｙ２記憶部３０３にデジタル値Ｙ２が、それぞれ記憶完了となると、制御部１０６は、演算処理部３０１に補正ゲイン量および直流オフセットの演算開始指示を送る。
【００７５】
演算処理部３０１は、上記の（式１）および（式２）を連立方程式として、この連立方程式を解くことにより、未知数Ｇ´（＝Ｇ＋ｅ）（実際には１／Ｇ´を算出）と、直流オフセット−Ｏｆｓｔを算出する。そして、演算処理部３０１は、映像出力増幅器ゲイン記憶部２０９からのゲインＧを用いて、補正ゲイン量Ｇ／Ｇ´（＝Ｇ／Ｇ＋ｅ）を算出する。
【００７６】
演算処理部３０１で、補正ゲイン量と直流オフセットの算出が完了すると、制御部１０６の制御により、算出された補正ゲイン量と直流オフセットとは調整値記憶用メモリ２０６に記憶される。
【００７７】
そして、その記憶が完了した後、制御部１０６は、セレクタ２０１を映像復調処理部１０２からの復調映像信号を選択する状態に切り替える。そして、調整値記憶用メモリ２０６から、記憶された補正ゲイン量が乗算部２０５に供給され、記憶されたオフセットＯｆｓｔが減算部２０４に供給されて、復調映像信号に対する調整がなされる。この結果、映像出力増幅器１１の出力映像信号のゲインは、所望のゲインとなる。
【００７８】
なお、上述の説明において、初期状態では、調整値記憶用メモリ２０６からの直流オフセットは０、補正ゲイン量は１とすることを述べた。しかし、一度でもキャリブレーションモードを実行したときには、調整値記憶用メモリ２０６には、前回の直流オフセットおよび補正ゲイン量が記憶されているので、キャリブレーションモード時には、その前回の直流オフセットおよび補正ゲイン量が用いられる。
【００７９】
この場合、新たなキャリブレーションモードにおいて、算出された直流オフセットおよび補正ゲイン量は、前回のそれらの値を含んだものとして算出される。したがって、当該新たに算出された直流オフセットおよび補正ゲイン量を、前回のものに代えて記憶して、そのまま新たな調整量として用いることができる。
【００８０】
［キャリブレーションモード時のフローチャート］
上述したキャリブレーションモード時の処理の流れを、図４および図５のフローチャートに示す。このフローチャートの各ステップの処理は、制御部１０６が主として実行するものである。
【００８１】
制御部１０６は、先ず、テレビマイコン１２からのキャリブレーション開始指示を受けたか否か判別する（ステップＳ１０１）。このステップＳ１０１で、開始指示を受けていないと判別したときには、制御部１０６は、セレクタ２０１を、映像復調処理部１０２からの復調映像信号を選択する状態に維持して、その他の必要な処理を実行する（ステップＳ１０２）。そして、このステップＳ１０２の後、ステップＳ１０１に戻り、テレビマイコン１２からのキャリブレーション開始指示を待つ。
【００８２】
ステップＳ１０１で、テレビマイコン１２からのキャリブレーション開始指示を受けたと判別したときには、制御部１０６は、セレクタ２０１を、映像復調処理部１０２からの復調映像信号の選択状態から、第１基準レベルのデジタル値Ｘ１を選択する状態に切り替える（ステップＳ１０３）。
【００８３】
そして、制御部１０６は、調整値算出部２０８に映像出力増幅器１１の出力信号の取得を指示する。すると、映像出力増幅器１１の出力信号がＡ／Ｄコンバータ１０５でデジタル信号に変換され、そのデジタル信号からノイズ成分がローパスフィルタ２０７で除去された信号が、調整値算出部２０８に供給される（ステップＳ１０４）。
【００８４】
次に、制御部１０６は、ノイズ除去後の映像出力増幅器１１の出力信号のデジタル信号Ｙ１を、Ｙ１記憶部３０２に記憶させるようにする（ステップＳ１０５）。
【００８５】
Ｙ１記憶部３０２へのデジタル信号Ｙ１の記憶が完了した後、制御部１０６は、セレクタ２０１を、第２基準レベル発生部２０３からの第２基準レベルのデジタル値Ｘ２を選択する状態に切り替える（ステップＳ１０６）。
【００８６】
そして、制御部１０６は、調整値算出部２０８に映像出力増幅器１１の出力信号の取得を指示する。すると、映像出力増幅器１１の出力信号がＡ／Ｄコンバータ１０５でデジタル信号に変換され、そのデジタル信号からノイズ成分がローパスフィルタ２０７で除去された信号が、調整値算出部２０８に供給される（ステップＳ１０７）。
【００８７】
次に、制御部１０６は、ノイズ除去後の映像出力増幅器１１の出力信号のデジタル信号Ｙ２を、Ｙ２記憶部３０３に記憶させるようにする（ステップＳ１０８）。
【００８８】
次に、Ｙ２記憶部３０３へのデジタル信号Ｙ２の記憶が完了した後、制御部１０６は、演算処理部３０１に、補正ゲイン量および直流オフセットの算出を指示する。演算処理部３０１は、第１および第２基準レベルのデジタル値Ｘ１およびＸ２と、映像出力増幅器１１のゲインＧと、デジタル値Ｙ１およびデジタル値Ｙ２とを用いて、直流オフセットＯｆｓｔおよび補正ゲイン量Ｇ／（Ｇ＋ｅ）を算出する（ステップＳ１１１）。
【００８９】
次に、制御部１０６は、演算処理部３０１で算出された直流オフセットＯｆｓｔおよび補正ゲイン量Ｇ／（Ｇ＋ｅ）を、調整値記憶用メモリ２０６に記憶するように制御する（ステップＳ１１２）。
【００９０】
調整値記憶用メモリ２０６への直流オフセットＯｆｓｔおよび補正ゲイン量Ｇ／（Ｇ＋ｅ）の記憶完了後、制御部１０６は、セレクタ２０１を映像復調処理部１０２からの復調映像信号を選択する状態に切り替える（ステップＳ１１３）。そして、制御部１０６は、調整値記憶用メモリ２０６から、ステップＳ１１２で記憶した直流オフセットＯｆｓｔを減算部２０４に供給するように制御する。また、制御部１０６は、調整値記憶用メモリ２０６から、ステップＳ１１２で記憶した補正ゲイン量を乗算部２０５に供給するように制御する（ステップＳ１１４）。
【００９１】
これにより、減算部２０４では、セレクタ２０１からの復調映像信号から直流オフセットＯｆｓｔが減算されて、直流オフセットが除去される。また、乗算部２０５では、補正ゲイン量が復調映像信号に乗算されて、映像出力増幅器１１の出力映像信号のゲインが所望のものとなるようにされる。
【００９２】
次に、制御部１０６は、テレビマイコン１２から電源オフの指示が到来したか否か判別し（ステップＳ１１５）、電源オフの指示が到来していないと判別したときには、ステップＳ１０１に戻って、次のキャリブレーション開始タイミングを待つ。また、ステップＳ１１５で、電源オフの指示が到来したと判別したときには、制御部１０６は、この処理ルーチンを終了する。
【００９３】
以上のようにして、この実施形態によれば、アナログテレビチューナ毎に、出力映像信号の出力レベルの調整が不要となり、正確な出力レベルを自動で得ることができる。
【００９４】
この実施形態によれば、従来必要としていた可変抵抗を削減することができ、その実装スペースを削減できると共に、コストダウンを図ることができる。
【００９５】
また、この実施形態によれば、経年変化による映像信号の出力レベル変化を抑えることもできる。
【００９６】
［他の実施形態または変形例］
なお、上述した第１および第２基準レベルは一例であり、他のレベルであっても良い。しかし、実際上は、上述の実施形態のように、映像信号の最大輝度レベルとシンクチップレベルとを基準レベルに選定することにより、より信頼性の高い出力映像信号の出力レベル制御ができるものである。
【００９７】
なお、直流オフセットの除去のために、上述の実施形態では、減算部２０４を設けるように説明したが、直流オフセットは、負の値−Ｏｆｓｔとして求められるので、減算部２０４は、加算器で構成することができるものである。
【００９８】
上述の実施形態では、映像出力増幅器１１が固定抵抗を変えることで、ゲインＧを変更することができるようにしたため、映像出力増幅器ゲイン記憶部２０９を設け、これを書き換え可能とした。しかし、映像出力増幅器１１のゲインが、固定のゲインである場合には、調整値算出部２０８で既定値として当該ゲイン値を持つことにより、映像出力増幅器ゲイン記憶部２０９を設ける必要はない。
【００９９】
また、上述の実施形態は、アナログテレビチューナに、この発明による映像信号出力レベル調整回路を適用した場合について説明した。しかし、この発明は、テレビチューナに限らず、映像信号出力レベルを所定の規定値に調整する場合の全てに適用することができるものであることは言うまでもない。
【０１００】
また、上述の実施形態では、映像復調部１０内に制御部１０６を設けて、キャリブレーションモードの制御を行なうようにしたが、映像復調部１０には制御部を設けずに、外部の制御部により、上述と同様の制御動作をさせるようにすることができるものである。
【図面の簡単な説明】
【０１０１】
【図１】この発明によるアナログテレビ受信装置の実施形態の構成例を示すブロック図である。
【図２】この発明によるアナログテレビ受信装置の実施形態の要部の構成例を示すブロック図である。
【図３】図２の一部の構成例を示すブロック図である。
【図４】この発明によるアナログテレビ受信装置の実施形態の要部の処理動作を説明するためのフローチャートの一部を示す図である。
【図５】この発明によるアナログテレビ受信装置の実施形態の要部の処理動作を説明するためのフローチャートの一部を示す図である。
【図６】従来のアナログテレビ受信装置の構成例を示すブロック図である。
【図７】映像信号の出力波形およびそのレベルを説明するための図である。
【符号の説明】
【０１０２】
２…テレビチューナ部、３…フロントエンド部、１０…映像復調部、１１…映像出力増幅器、１０１，１０５…Ａ／Ｄコンバータ、１０２…映像復調処理部、１０３…映像信号出力レベル調整処理部、１０４…Ｄ／Ａコンバータ、１０６…制御部、２０１…セレクタ、２０２…第１基準レベル発生部、２０３…第２基準レベル発生部、２０４…減算部、２０５…乗算部、２０６…調整値記憶用メモリ、２０８…調整値算出部
【図１】
2010034727.tif 000003
【図２】
2010034727.tif 000004
【図３】
2010034727.tif 000005
【図４】
2010034727.tif 000006
【図５】
2010034727.tif 000007
【図６】
2010034727.tif 000008
【図７】
2010034727.tif 000009